(57)【要約】【課題】長期間着用した場合でも、手の甲部分、特に親指の根本部が親指開口部から外部に露出することを低減することができるアームカバー及び上衣を提供する。【解決手段】本発明は、腕部及び手の甲の少なくとも一部を覆うアームカバー１であって、アームカバー１は、筒状のアームカバー本体２と、アームカバー本体２の袖口に設けられた袖口カフス３を備えており、袖口カフス３の手の裏側には、外側生地Ｂｘと内側生地Ｃｘが部分的に重なっている箇所に、幅方向に開口した親指開口部４が設けられているアームカバー１に関する。本発明は、また、手の甲の少なくとも一部を覆う袖口カフスを備えた上衣であって、前記袖口カフスの手の裏側には、外側生地と内側生地が部分的に重なっている箇所に、幅方向に開口した親指開口部が設けられている上衣に関する。【選択図】図１
2019210589.tif 000002
【特許請求の範囲】
【請求項１】
腕部及び手の甲の少なくとも一部を覆うアームカバーであって、
前記アームカバーは、筒状のアームカバー本体と、アームカバー本体の袖口に設けられた袖口カフスを備えており、
前記袖口カフスの手の裏側には、外側生地と内側生地が部分的に重なっている箇所に、幅方向に開口した親指開口部が設けられていることを特徴とするアームカバー。
【請求項２】
前記親指開口部は、外側生地と内側生地が部分的に重なっている箇所において、外側生地の下端部と内側生地の上端部の少なくとも一部が互いに連結されていないことで形成されている請求項１に記載のアームカバー。
【請求項３】
前記親指開口部は、外側生地と内側生地が部分的に重なっている箇所において、外側生地と内側生地は互いに連結されておらず、内側生地に穴かがりで設けられた穴で形成されている請求項１に記載のアームカバー。
【請求項４】
前記親指開口部は、外側生地と内側生地が部分的に重なっている箇所において、外側生地と内側生地は互いに連結されておらず、上部内側生地の下端部と下部内側生地の上端部を突合せることで形成されている請求項１に記載のアームカバー。
【請求項５】
手の甲の少なくとも一部を覆う袖口カフスを備えた上衣であって、
前記袖口カフスの手の裏側には、外側生地と内側生地が部分的に重なっている箇所に、幅方向に開口した親指開口部が設けられていることを特徴とする上衣。
【請求項６】
前記親指開口部は、外側生地と内側生地が部分的に重なっている箇所において、外側生地の下端部と内側生地の上端部の少なくとも一部が互いに連結されていないことで形成されている請求項５に記載の上衣。
【請求項７】
前記親指開口部は、外側生地と内側生地が部分的に重なっている箇所において、外側生地と内側生地は互いに連結されておらず、内側生地に穴かがりで設けられた穴で形成されている請求項５に記載の上衣。
【請求項８】
前記親指開口部は、外側生地と内側生地が部分的に重なっている箇所において、外側生地と内側生地は互いに連結されておらず、上部内側生地の下端部と下部内側生地の上端部を突合せることで形成されている請求項５に記載の上衣。
【発明の詳細な説明】
【技術分野】
【０００１】
本発明は、アームカバー及び上衣に関し、詳細には、太陽からの紫外線による日焼けを防止することができるアームカバー及び上衣に関する。
【背景技術】
【０００２】
紫外線対策、特に夏の紫外線対策として、腕や手をカバーするアームカバーや上衣が使用されている。そして、手の甲までを覆うアームカバーの場合、アームカバーの不用意なズレを防止するために、手の甲を覆う部分に親指を通すための穴を設け、該穴から親指を外部に出すことにより、アームカバーの不用意なズレを防止している。例えば、特許文献１には、手の甲までを覆うアームカバーにおいて、手首側に親指を通す開口部を設けることが提案されている。
【先行技術文献】
【特許文献】
【０００３】
【特許文献１】特開２０１３−４０４１４号公報
【発明の概要】
【発明が解決しようとする課題】
【０００４】
しかし、特許文献１に提案のアームカバーを含む従来のアームカバーの親指開口部は、アームカバーの本体に設けられた外部に露出する穴で構成されているため、アームカバーを複数回着用した場合、穴の周囲の生地が伸びてしまい、手の甲部分、特に親指の根本部が外部に露出しやすい問題があった。
【０００５】
本発明は、前記問題を解決するため、長期間着用した場合でも、手の甲部分、特に親指の根本部が親指開口部から外部に露出することを低減することができるアームカバー及び上衣を提供する。
【課題を解決するための手段】
【０００６】
本発明は、腕部及び手の甲の少なくとも一部を覆うアームカバーであって、前記アームカバーは、筒状のアームカバー本体と、アームカバー本体の袖口に設けられた袖口カフスを備えており、前記袖口カフスの手の裏側には、外側生地と内側生地が部分的に重なっている箇所に、幅方向に開口した親指開口部が設けられていることを特徴とするアームカバーに関する。
【０００７】
前記アームカバーにおいて、親指開口部は、外側生地と内側生地が部分的に重なっている箇所において、外側生地の下端部と内側生地の上端部の少なくとも一部が互いに連結されていないことで形成されていてもよい。
【０００８】
前記アームカバーにおいて、親指開口部は、外側生地と内側生地が部分的に重なっている箇所において、外側生地と内側生地は互いに連結されておらず、内側生地に穴かがりで設けられた穴で形成されていてもよい。
【０００９】
前記アームカバーにおいて、親指開口部は、外側生地と内側生地が部分的に重なっている箇所において、外側生地と内側生地は互いに連結されておらず、上部内側生地の下端部と下部内側生地の上端部を突合せることで形成されていてもよい。
【００１０】
本発明は、また、手の甲の少なくとも一部を覆う袖口カフスを備えた上衣であって、前記袖口カフスの手の裏側には、外側生地と内側生地が部分的に重なっている箇所に、幅方向に開口した親指開口部が設けられていることを特徴とする上衣に関する。
【００１１】
前記上衣において、前記親指開口部は、外側生地と内側生地が部分的に重なっている箇所において、外側生地の下端部と内側生地の上端部の少なくとも一部が互いに連結されていないことで形成されていてもよい。
【００１２】
前記親指開口部は、外側生地と内側生地が部分的に重なっている箇所において、外側生地と内側生地は互いに連結されておらず、内側生地に穴かがりで設けられた穴で形成されていてもよい。
【００１３】
前記親指開口部は、外側生地と内側生地が部分的に重なっている箇所において、外側生地と内側生地は互いに連結されておらず、上部内側生地の下端部と下部内側生地の上端部を突合せることで形成されていてもよい。
【発明の効果】
【００１４】
本発明は、長期間着用した場合でも、手の甲部分、特に親指の根本部が親指開口部から外部に露出することを低減することができるアームカバー及び上衣を提供することができる。
【図面の簡単な説明】
【００１５】
【図１】図１は本発明の一実施形態のアームカバーの模式図であり、（ａ）は部分正面図、（ｂ）は部分背面図であり、（ｃ）はＩ−Ｉ方向部分切断図である。
【図２】図２は、同アームカバーの製造工程を説明する模式図である。
【図３】図３は、同アームカバーの製造工程を説明する模式図である。
【図４】図４は本発明の他の一実施形態のアームカバーの模式図であり、（ａ）は部分正面図、（ｂ）は部分背面図であり、（ｃ）はＩＩ−ＩＩ方向部分切断図である。
【図５】図５は、同アームカバーの製造工程を説明する模式図である。
【図６】図６は本発明の他の一実施形態のアームカバーの模式図であり、（ａ）は部分正面図、（ｂ）は部分背面図であり、（ｃ）はＩＩＩ−ＩＩＩ方向部分切断図である。
【図７】図７は、同アームカバーの製造工程を説明する模式図である。
【図８】図８は、本発明の一実施形態のアームカバーを着用した状態の部分斜視図である。
【図９】図９は、本発明の一実施形態の上衣の模式図であり、（ａ）は正面図、（ｂ）は背面図である。
【発明を実施するための形態】
【００１６】
本発明者らは、アームカバーや上衣を長期間着用した場合でも、手の甲部分が親指開口部から外部に露出することを低減することについて鋭意検討した。その結果、アームカバーや上衣において、手の甲の少なくとも一部を覆うに袖口カフスを設けるとともに、該袖口カフスの手の裏側の外側生地と内側生地が部分的に重なっている箇所に、幅方向に開口した親指開口部を設けることで、アームカバーや上衣を長期間着用した場合でも、手の甲部分、特に親指の根本部が親指開口部から外部へ露出することを低減し得ることを見出した。
【００１７】
以下、本発明の実施形態を図面に基づいて詳細に説明する。本発明は、図面に示した実施形態に限定されない。
【００１８】
図１は本発明の一実施形態のアームカバーの模式図であり、（ａ）は部分正面図、（ｂ）は部分背面図であり、（ｃ）は部分切断図である。該実施形態のアームカバー１は、筒状のアームカバー本体２と、アームカバー本体２の一方の端部である袖口に設けられた袖口カフス３を備えている。袖口カフス３は、手の甲側全体と手の裏側の一部を覆う、すなわち袖口カフスの主部を構成する生地Ａと、手の裏側の上部を覆う外側生地Ｂｘと、手の裏側の下部を覆う内側生地Ｃｘで構成され、外側生地Ｂｘと内側生地Ｃｘが部分的に重なっている箇所において、外側生地Ｂｘの下端部と内側生地Ｃｘの上端部の少なくとも一部が互いに連結されていないことで、幅方向に開口した親指開口部４が形成されている。親指の根本部を含む手の甲部分の露出をより効果的に抑える観点から、外側生地Ｂｘは、袖中心線側の長さが袖下側の長さより短い、すなわち外側生地Ｂｘの下端部は斜め方向になっていることが好ましい。ここで、袖中心線とは袖下に対抗する部位をいう。袖口カフス３は、手の指の一部又は全部を覆うように形成されてもよい。
【００１９】
本明細書において、内側は身体に近い側を意味し、外側は身体に遠い側を意味する。また、本明細書において、上部とは肩に近い方を意味し、下部とは指に近い方を意味する。
【００２０】
図２及び図３は、アームカバー１の製造工程を説明する模式図である。
（１）図２（ａ）に示すように、袖口カフスの主部を構成する生地Ａ、外側生地Ｂｘ及び内側生地Ｃｘを準備する。
（２）図２（ｂ）に示すように、生地Ａの内側になる面に、二つ折りにした外側生地Ｂｘ及び二つ折りにした内側生地Ｃｘを配置する。
（３）図２（ｃ）に示すように、生地Ａを二つ折りにし、図２（ｄ）に示すように、生地Ａ、外側生地Ｂｘ及び内側生地Ｃｘを縫製した後、該縫製部と反対側の生地Ａの端部を内側に折り込み、生地Ａ、外側生地Ｂｘ及び内側生地Ｃｘを縫製する。
（４）図３（ａ）に示すように、生地Ａをひっくり返すことで、図３（ｂ）に示すように、袖口カフス３を得る。
（５）図３（ｃ）に示すように、袖口カフス３をアームカバー本体２の一方の端部に逢着してアームカバー１を得る。
【００２１】
図４は本発明の他の一実施形態のアームカバーの模式図であり、（ａ）は部分正面図、（ｂ）は部分背面図であり、（ｃ）は部分切断図である。図５は、同アームカバーの製造工程を説明する模式図である。該実施形態のアームカバー１１は、筒状のアームカバー本体２と、アームカバー本体２の一方の端部である袖口に設けられた袖口カフス１３を備えている。袖口カフス１３は、手の甲側全体と手の裏側の一部を覆う、すなわち袖口カフスの主部を構成する生地Ａと、手の裏側の上部を覆う外側生地Ｂｙと、手の裏側の下部を覆う内側生地Ｃｙで構成され、外側生地Ｂｙと内側生地Ｃｙが部分的に重なっている箇所において、外側生地Ｂｙと内側生地Ｃｙが互いに連結されておらず、内側生地Ｃｙに穴かがりで設けられた穴で、幅方向に開口した親指開口部１４が形成されている。図５（ａ）に示す生地Ａ、外側生地Ｂｙ、及び穴かがりで穴が設けられた内側生地Ｃｙを用いる以外は、袖口カフス３の作製手順と同様の手順で、図５（ｂ）示すような袖口カフス１３を作製し、図５（ｃ）に示すように、袖口カフス１３をアームカバー本体２の一方の端部に逢着してアームカバー１１を作製することができる。親指の根本部を含む手の甲部分の露出をより効果的に抑える観点から、外側生地Ｂｙは、袖中心線側の長さが袖下側の長さより短い、すなわち外側生地Ｂｙの下端部は斜め方向になっていることが好ましい。袖口カフス１３は、手の指の一部又は全部を覆うように形成されてもよい。
【００２２】
図６は本発明の他の一実施形態のアームカバーの模式図であり、（ａ）は部分正面図、（ｂ）は部分背面図であり、（ｃ）は部分切断図である。図７は、同アームカバーの製造工程を説明する模式図である。該実施形態のアームカバー２１は、筒状のアームカバー本体２と、アームカバー本体２の一方の端部である袖口に設けられた袖口カフス２３を備えている。袖口カフス２３は、手の甲側全体と手の裏側の一部を覆う、すなわち袖口カフスの主部を構成する生地Ａと、手の裏側の上部を覆う外側生地Ｂｚと、手の裏側の下部を覆う内側生地Ｃｚで構成され、外側生地Ｂｚと内側生地Ｃｚが部分的に重なっている箇所において、外側生地Ｂｚと内側生地Ｃｚは互いに連結されておらず、上部内側生地Ｃｚ−１の下端部と下部内側生地Ｃｚ−２の上端部が突合されたことで、幅方向に開口した親指開口部２４が形成されている。図７（ａ）に示す外側生地Ｂｚ、上部内側生地Ｃｚ−１及び下部内側生地Ｃｚ−２を用い、上部内側生地Ｃｚ−１の下端部と下部内側生地Ｃｚ−２の上端部を突合せる以外は、袖口カフス３の作製手順と同様の手順で、図７（ｂ）示すような袖口カフス１３を作製し、図７（ｃ）に示すように、袖口カフス２３をアームカバー本体２の一方の端部に逢着してアームカバー２１を作製することができる。親指の根本部を含む手の甲部分の露出をより効果的に抑える観点から、外側生地Ｂｚは、袖中心線側の長さが袖下側の長さより短い、すなわち外側生地Ｂｚの下端部は斜め方向になっていることが好ましい。袖口カフス２３は、手の指の一部又は全部を覆うように形成されてもよい。
【００２３】
図８は、本発明の一実施形態のアームカバーを着用した状態の部分斜視図である。アームカバー１において、アームカバー本体２は腕を覆い、袖口カフス３で手の甲及び手の平を覆っている。手の裏側において、外側生地Ｂｘと内側生地Ｃｘが部分的に重なっている箇所に設けられた幅方向に開口した親指開口部４に親指を通していることにより、長期間着用した場合でも、親指の根本部分を含む手の甲部分が親指開口部から外部に露出することを抑制することができる。
【００２４】
上述した実施形態において、アームカバー本体２は、生地の長手方向の両端部を縫製して得られた（縫製線１００）筒状であるが、丸編みで得られるシームなしの筒状であってもよい。アームカバー本体２は、少なくとも上腕部の一部を覆ってもよく、上腕部の全体を覆ってもよい。アームカバー本体２の肩側の口（他方の端部）には、ズレを防止するために、ゴムで締め部を設けてもよい。アームカバーは、腕部及び手の甲の少なくとも一部又は全部を覆ってもよい。
【００２５】
実施の形態ではアームカバーで説明したが、上述した袖口カフスは、上衣にも適用可能である。上衣に適用する場合は、上衣の袖部がアームカバー本体に該当することになる。
【００２６】
例えば、図９は本発明の一実施形態の上衣の模式図であり、（ａ）は正面図、（ｂ）は背面図である。該実施形態の上衣２００は、手の甲の少なくとも一部を覆う袖口カフス２１０を備えており、袖口カフス２１０は、袖部２２０に結合されている。
【００２７】
袖口カフス２１０は、例えば、図１に示されている袖口カフス３と同様の構成にすることができる。この場合、アームカバー本体２を上衣２００の袖部２２０に置き換える以外は、図２及び３において説明した工程と同様の工程で袖口カフス２１０及び袖口カフス２１０を備えた上衣２００を作製することができる。
【００２８】
或いは、袖口カフス２１０は、例えば、図４に示されている袖口カフス１３と同様の構成にすることができる。この場合、アームカバー本体２を上衣２００の袖部２２０に置き換える以外は、図５において説明した工程と同様の工程で袖口カフス２１０及び袖口カフス２１０を備えた上衣２００を作製することができる。
【００２９】
或いは、袖口カフス２１０は、例えば、図６に示されている袖口カフス２３と同様の構成にすることができる。この場合、アームカバー本体２を上衣２００の袖部２２０に置き換える以外は、図７において説明した工程と同様の工程で袖口カフス２１０及び袖口カフス２１０を備えた上衣２００を作製することができる。
【００３０】
上衣２００はフートを備えているが、本発明において、上衣は、長袖であればよく特に限定されず、フートを有しなくてもよい。上衣としては、例えば、ジャケット、フーディー、カーディガン、コート、長袖Ｔシャツ、スエットシャツ等が挙げられる。上衣２００において、袖口カフス２１０以外の構成は、特に限定されず、必要に応じて適宜な構成にすることができる。
【００３１】
上衣、アームカバー本体及び袖口カフスを構成する生地は、特に限定されないが、紫外線をカットすることができる生地であることが好ましい。着用性の観点から、伸縮性のある素材、例えば編物を用いることができる。紫外線をカットする生地は、例えば、ポリエステル繊維糸、綿とポリエステル繊維の混紡糸、紫外線吸収剤を付着させた綿、ポリエステルとポリウレタンの交編、ナイロンとポリウレタンの交編等を用いて構成することができる。上衣、アームカバー本体及び袖口カフスを構成する生地は、特に限定されないが、目付が１００ｇ/ｍ2以上１８０ｇ/ｍ2以下であってもよい。
【符号の説明】
【００３２】
１、１１、２１  アームカバー
２  アームカバー本体
３、１３、２３、２１０  袖口カフス
４、１４、２４  親指開口部
Ａ  袖口カフスの主部を構成する生地
Ｂｘ、Ｂｙ、Ｂｚ  外側生地
Ｃｘ、Ｃｙ、Ｃｚ  内側生地
Ｃｚ−１  上部内側生地
Ｃｚ−２  下部内側生地
１００  縫製線
２００  上衣
２２０  袖部
【図１】
2019210589.tif 000003
【図２】
2019210589.tif 000004
【図３】
2019210589.tif 000005
【図４】
2019210589.tif 000006
【図５】
2019210589.tif 000007
【図６】
2019210589.tif 000008
【図７】
2019210589.tif 000009
【図８】
2019210589.tif 000010
【図９】
2019210589.tif 000011